(57)【要約】【課題】  撮影禁止エリアテーブルを設ける必要がなく、また最新の撮影禁止エリアを示すデータを用いて撮影制御が可能な画像撮影装置を提供すること。【解決手段】  撮像手段３と、現在位置を測位する測位手段１と、通信網を介して撮影禁止エリアを示すデータを取得する手段２と、現在位置が撮影禁止エリア内であるかどうかを判定し、この判定結果に応じて撮像手段３による撮影画像の制限をなす制御手段７とを含むことを特徴とする。これにより、最新の撮影禁止エリアを示すデータを用いて撮影制御が可能となる。【選択図】      図１
2010062778.tif 000002
【特許請求の範囲】
【請求項１】
撮像手段と、現在位置を測位する測位手段と、通信網を介して撮影禁止エリアを示すデータを取得する手段と、前記現在位置が前記撮影禁止エリア内であるかどうかを判定し、この判定結果に応じて前記撮像手段による撮影画像の制限をなす制御手段とを含むことを特徴とする画像撮影装置。
【請求項２】
前記データは、最新データであることを特徴とする請求項１記載の画像撮影装置。
【請求項３】
前記制御手段は、前記現在位置が前記撮影禁止エリア内であれば、前記撮影画像の表示制限をなすことを特徴とする請求項１または２記載の画像撮影装置。
【請求項４】
前記制御手段は、前記現在位置が前記撮影禁止エリア内であれば、前記撮影画像の保存制限をなすことを特徴とする請求項１または２記載の画像撮影装置。
【請求項５】
現在位置を測位するステップと、通信網を介して撮影禁止エリアを示すデータを取得するステップと、前記現在位置が前記撮影禁止エリア内であるかどうかを判定して、この判定結果に応じて撮像手段による撮影画像の制限をなす制御ステップとを含むことを特徴とする画像撮影制御方法。
【請求項６】
前記データは、最新データであることを特徴とする請求項５記載の画像撮影制御方法。
【請求項７】
前記制御ステップは、前記現在位置が前記撮影禁止エリア内であれば、前記撮影画像の表示制限をなすことを特徴とする請求項５または６記載の画像撮影制御方法。
【請求項８】
前記制御ステップは、前記現在位置が前記撮影禁止エリア内であれば、前記撮影画像の保存制限をなすことを特徴とする請求項５または６記載の画像撮影制御方法。
【請求項９】
画像撮影装置の撮影画像を制御する動作をコンピュータに実行させるためのプログラムであって、現在位置を測位する処理と、通信網を介して撮影禁止エリアを示すデータを取得する処理と、前記現在位置が前記撮影禁止エリア内であるかどうかを判定する処理と、この判定結果に応じて撮像手段による撮影画像の制限をなす処理とを含むことを特徴とするプログラム。
【発明の詳細な説明】
【技術分野】
【０００１】
本発明は画像撮影装置及び画像撮影制御方法に関し、特にビデオカメラやスチルカメラ、更には撮像機能を有する携帯電話機などの携帯型の画像撮影装置及び画像撮影制御方法に関するものである。
【背景技術】
【０００２】
近年のデジタル技術の進歩にはめざましいものがあり、デジタルのスチルカメラやビデオカメラなどの撮影装置、更には携帯電話機に搭載された撮影装置は、小型化、高機能化、高画質化が実現可能となってきた反面、撮影禁止エリアでのいわゆる盗撮などの犯罪行為に使用されることがある。このような犯罪行為は、最近は映画館や美術館、ひいては書店など、ありとあらゆる場所で問題となっており、その被害額や損失は甚大となっている。
【０００３】
このような撮影禁止エリアでの無許可の静止画や動画の撮影を防止する技術が、例えば、特許文献１に提案されている。特許文献１の開示の技術によれば、撮影しようとしている位置の測位をなすＧＰＳ（Global Positioning System ）機能と、撮影が禁止されている場所や建物の位置に対応する位置情報が予め記録された撮影禁止エリアテーブルとを設けておき、撮影時に、ＧＰＳにより現在位置を取得して、この位置が撮影禁止エリアテーブルに登録された撮影禁止場所であれば、撮影を禁止するようにしたものである。
【０００４】
【特許文献１】特開２００３−１９８９１８号公報
【発明の開示】
【発明が解決しようとする課題】
【０００５】
上述した特許文献１の開示の技術では、撮影禁止エリアテーブルを撮影装置内に設ける必要があり、そのためのメモリが必要であり、装置の小型軽量化に反するという欠点がある。また、撮影禁止領域を示すデータは、変動するので、常時データの更新を行わなければ、撮影禁止場所ではなくなっている場所で撮影を行うことができず、また、その逆の事も起こり得る。よって、常にデータの更新をなすことが必要となり、ユーザにとっては、極めて煩雑となるという欠点もある。
【０００６】
そこで、本発明はこのような欠点を解消すべくなされたものであって、その目的とするところは、撮影禁止エリアテーブルを設ける必要がなく、また最新の撮影禁止エリアを示すデータを用いて撮影制御が可能な画像撮影装置及び画像撮影制御方法を提供することである。
【課題を解決するための手段】
【０００７】
本発明による画像撮影装置は、撮像手段と、現在位置を測位する測位手段と、通信網を介して撮影禁止エリアを示すデータを取得する手段と、前記現在位置が前記撮影禁止エリア内であるかどうかを判定し、この判定結果に応じて前記撮像手段による撮影画像の制限をなす制御手段とを含むことを特徴とする。
【０００８】
本発明による画像撮影制御方法は、現在位置を測位するステップと、通信網を介して撮影禁止エリアを示すデータを取得するステップと、前記現在位置が前記撮影禁止エリア内であるかどうかを判定して、この判定結果に応じて撮像手段による撮影画像の制限をなす制御ステップとを含むことを特徴とする。
【０００９】
本発明によるプログラムは、画像撮影装置の撮影画像を制御する動作をコンピュータに実行させるためのプログラムであって、現在位置を測位する処理と、通信網を介して撮影禁止エリアを示すデータを取得する処理と、前記現在位置が前記撮影禁止エリア内であるかどうかを判定する処理と、この判定結果に応じて撮像手段による撮影画像の制限をなす処理とを含むことを特徴とする。
【発明の効果】
【００１０】
本発明によれば、通信網を介してオンラインで撮影禁止エリアのデータを取得して、現在位置が撮影禁止エリアかどうかを判定するようにしているので、撮影禁止エリアテーブルを設ける必要がなく、また最新の撮影禁止エリアを示すデータを用いて撮影制御が可能となるという効果がある。
【発明を実施するための最良の形態】
【００１１】
本発明の実施の形態について、以下に図面を参照しつつ説明する。図１は本発明の一実施の形態の機能ブロック図である。本発明による画像撮像装置は、図１に示すように、ＧＰＳ測位部１と、通信部２と、撮像部３と、メモリ部４と、操作部５と、表示部６と、制御部７と、ＲＯＭ（Read Only Memory）８とを含んで構成されている。
【００１２】
ＧＰＳ測位部１は、現在位置を測位するための機能を有しており、ＧＰＳ受信機能とＧＰＳ測位機能部とを有する周知の構成である。通信部２は、図示せぬインターネットとのインタフェース機能を有しており、これまた周知の構成である。撮像部３は、カメラ機能部と画像処理機能部とを有し、これまた周知の構成である。メモリ部４は、撮像部３による撮影画像をデータとして一時格納するための機能を有している。
【００１３】
操作部５は、ユーザの操作のためのマン／マシンインタフェースであり、表示部６は、画像表示やメッセージ表示機能を有するものである。制御部７は、これら各部１〜６を制御するためのＣＰＵ（コンピュータ）である。そして、ＲＯＭ（Read Only Memory）８は、制御部７の制御動作の手順を、予めプログラムとして格納した記録媒体である。
【００１４】
図２は本発明の一実施の形態の動作を示すフローチャートである。先ず、ユーザが操作部５により撮像部３のカメラ起動操作を行った場合（ステップＳ１）、制御部７は、これに応答して、ＧＰＳ測位部１を起動する（ステップＳ２）。これと同時に、制御部７は、通信部２を介してインターネット経由で撮影禁止エリアを示すデータを取得すべく当該データのダウンロードを行う（ステップＳ３）。
【００１５】
データ取得が完了すると（ステップＳ４）、制御部７は、インターネット経由で取得したデータを参照して、ＧＰＳ測位部１により得られた現在のユーザ位置が、撮影禁止エリアに該当しているかどうかを判定する（ステップＳ５）。その結果、現在位置が撮影禁止エリアに該当していなければ、制御部７は、撮影画像を表示部６にプレビュー表示する（ステップＳ６）。
【００１６】
ユーザは、このプレビュー画像を確認した後、撮影モード変更有無を選択し（ステップＳ７）、シャッター押下をなす（ステップＳ８）。制御部７は、これに応答して、表示部６へ撮影画像の表示を行う（ステップＳ９）。そして、ユーザは、撮影画像確認及び登録（ステップＳ１０）、メモリ部４への画像保存（ステップＳ１１）の手順を実行することになる。
【００１７】
ステップＳ５において、現在位置が撮影禁止エリアであった場合には、制御部７は、撮影画像のプレビュー出力制限をかけ（ステップＳ１２）、表示部６にプレビュー出力をさせないようにして、所定のメッセージを表示部６に表示して、ユーザに対して、現在位置が撮影禁止エリアであることを認識させるのである（ステップＳ１３）。この場合のメッセージの例として、「撮影禁止エリアのために、カメラ起動できません」などがあげられる。
【００１８】
その後、制御部７は、カメラ起動処理を終了する（ステップＳ１４）が、ユーザがカメラ起動をさせたい場合には、撮影禁止エリア外に出る必要があるので、移動の有無を、ＧＰＳ測位部１の測位結果により判定することになる（ステップＳ１５）。ユーザが移動した場合には、再度ステップＳ１に戻る。
【００１９】
なお、図２のフローチャートでは、カメラを起動した場所が撮影禁止エリアではない場合、画像がプレビュー表示され、その後はステップＳ５の判定はなされないことになるが、これに限定されることはない。例えば、撮影可能エリアでカメラを起動させ、プレビュー表示のままで、ユーザが撮影禁止エリア内に移動した時には、撮影制限をかけるべく、ステップＳ５からステップＳ１２以降の処理を実行するようにしても良い。こうすることにより、ユーザが画像撮影装置を携帯しつつ撮影を実施している場合でも、正確な撮影制限を行うことが可能となる。
【００２０】
次に、本発明の他の実施の形態について説明する。この他の実施の形態の機能ブロック図は、図１と同等であり、よってその説明は省略する。図３に、この他の実施の形態の動作を説明するためのフローチャートを示す。図３において、図２と同等ステップは同一符号により示している。
【００２１】
図２を参照して説明した先の実施の形態では、撮影禁止エリアではプレビュー画像出力制限をかけるようにした例であるが、本実施の形態では、撮影禁止エリアでは画像保存制限をかけるようにした例である。
【００２２】
図３を参照すると、カメラ起動操作がなされると（ステップＳ１）、ＧＰＳ測位部１が起動される（ステップＳ２）。同時に、インターネット経由での撮影禁止エリアのデータが取得される（ステップＳ３，Ｓ４）。そして、撮影画像のプレビュー表示がなされ（ステップＳ６）、ユーザによるシャッター押下（ステップＳ８）に応答して、表示部６へ撮影画像の表示がなされる（ステップＳ９）。そして、ユーザによる撮影画像確認及び登録選択がなされる（ステップＳ１０）。
【００２３】
そして、ここで、現在位置が撮影禁止エリアかどうかの判定がなされることになる（ステップＳ５）。現在位置が撮影禁止エリア内でなければ、撮影画像の保存となる（ステップＳ１１）が、撮影禁止エリア内であれば、画像保存の制限がかけられることになるのである（ステップＳ１６）。
【００２４】
そして、「撮影禁止エリアのために、撮影画像を保存できません」などの所定のメッセージが表示部６に表示され、ユーザは、現在位置が撮影禁止エリアであることを認識する（ステップＳ１３）。その後、カメラ起動終了となる（ステップＳ１４）。ユーザがカメラ起動をさせたい場合には、撮影禁止エリア外に出る必要があるので、移動の有無を、ＧＰＳ測位部１の測位結果により判定することになる（ステップＳ１５）。ユーザが移動した場合には、再度ステップＳ１に戻る。
【００２５】
このように、撮影禁止エリアを示すデータを、インターネットを介して取得するようにすることにより、最新の情報をリアルタイムで得ることができ、ユーザは、当該データの更新のための操作などが全く必要でなくなり、また、古いデータによる動作制御がなくなるので、誤動作の問題もなくなることになる。更に、データのダウンロードが常時可能であるので、取得データを毎回保存する必要がなく、そのためのメモリを設ける必要もない。
【００２６】
なお、撮影禁止エリアを示すデータを、インターネットを介して取得するようにしているが、インターネットに限らず、通信網に接続されたサーバなどから取得するようにすれば良い。
【図面の簡単な説明】
【００２７】
【図１】本発明の実施の形態の機能ブロック図である。
【図２】本発明の一実施の形態の動作を示すフローチャートである。
【図３】本発明の他の実施の形態の動作を示すフローチャートである。
【符号の説明】
【００２８】
１  ＧＰＳ測位部
２  通信部
３  撮像部
４  メモリ部
５  操作部
６  表示部
７  制御部（ＣＰＵ）
８  ＲＯＭ
【図１】
2010062778.tif 000003
【図２】
2010062778.tif 000004
【図３】
2010062778.tif 000005